(57)【要約】      （修正有）【課題】ランプカップの放熱装置を提供する。【解決手段】一種のランプカップの放熱装置を提供することにあり、ヒートシンク及びランプカップを含む。ランプカップはヒートシンクにはまり込み、ヒートシンク内には密閉の空間を含み、導熱材料を充填できる。ランプカップに発光装置を設け、照明を提供する。放熱装置は複数の輻射状で配列する放熱フィンを具え、導熱材料を合わせることにより、発光装置の放熱に役に立つ。【選択図】図１
0003121695.tif 000002
【実用新案登録請求の範囲】
【請求項１】
ランプカップの放熱装置であり、
ヒートシンクを含み、当該ヒートシンクは内に凹む第一カップ状の構造を有し、当該第一カップ状の構造の底部は少なくとも一つの第一穿孔を有し、その中の当該ヒートシンクは密閉空間を含み、及び、
ランプカップを含み、当該ランプカップは、内に凹む第二カップ状の構造を有し、当該第二カップ状の構造の底部は少なくとも一つの第二穿孔を有し、その中の当該ランプカップはヒートシンクにはまり込むことを特徴とするランプカップの放熱装置。
【請求項２】
請求項１記載のランプカップの放熱装置において、前記ヒートシンクは、更に複数の放熱フィンを含むことを特徴とするランプカップの放熱装置。
【請求項３】
請求項２記載のランプカップの放熱装置において、前記複数の放熱フィンは、輻射状で第一カップ状の構造の周囲に配列することを特徴とするランプカップの放熱装置。
【請求項４】
請求項３記載のランプカップの放熱装置において、前記密閉空間は、複数の放熱フィンで包囲された環状空間であることを特徴とするランプカップの放熱装置。
【請求項５】
請求項１記載のランプカップの放熱装置において、前記密閉空間は、カップ状な空間であり、当該カップ状な空間は当該第一穿孔を包囲することを特徴とするランプカップの放熱装置。
【請求項６】
請求項５記載のランプカップの放熱装置において、更に導熱材料を含み、当該導熱材料は、当該密閉空間に注入することを特徴とするランプカップの放熱装置。
【請求項７】
請求項１記載のランプカップの放熱装置において、更に発光装置を含み、当該発光装置は第二穿孔に設けられることを特徴とするランプカップの放熱装置。
【請求項８】
請求項７記載のランプカップの放熱装置において、前記発光装置は、少なくとも一つの導線を有し、各導線は第二穿孔か第一穿孔を通過することを特徴とするランプカップの放熱装置。
【請求項９】
請求項１記載のランプカップの放熱装置において、前記第一カップ状の構造の底部は、凹部区域を含むことを特徴とするランプカップの放熱装置。
【考案の詳細な説明】
【技術分野】
【０００１】
本考案は、一種の放熱装置に係わり、特に発光装置に適用できる放熱装置である。
【背景技術】
【０００２】
発光ダイオード(LED)は高輝度、節電、寿命が長い、低温等の多くの長所を有し、伝統的な白熱電球が高熱を発し、寿命が短く、電力を消耗するのに比べると、非常に大きな進歩を有している。例えば発光ダイオードが懐中電灯に応用される時、三つの単四(AAA)電池で三つの発光ダイオードを50時間以上使用でき、あるメーカーは更に70時間の使用保証でも打ち出しており、このことからも発光ダイオードの節電効果は卓越していることが分かる。
【０００３】
輝度を高めるために、通常は照明の効果が比較的によい発光ダイオードランプを構成する。発光ダイオードは低温の長所を有するものの、照明の効果がよくなるほど、ランプ内の有限空間中に大量の熱が発生する。このような熱は周囲のその他の部品の老化或いは損壊を形成しやすいため、より好ましい設計により発光時に発生する熱を散逸させるようにする必要がある。 
【考案の開示】
【考案が解決しようとする課題】
【０００４】
本考案の目的は、一種のランプカップの放熱装置を提供することにあり、ランプカップとヒートシンクを含む。そのランプカップはヒートシンクにはまり込み、ヒートシンク内には密閉の空間を含んで導熱材料を充填できる。ランプカップには発光装置を設け、照明を提供する。放熱装置は複数の輻射状で配列する放熱フィンを備え、導熱材料を合わせることにより、発光装置の放熱に役に立つ。
【課題を解決するための手段】
【０００５】
請求項１の考案は、ランプカップの放熱装置であり、
ヒートシンクを含み、当該ヒートシンクは内に凹む第一カップ状の構造を有し、当該第一カップ状の構造の底部は少なくとも一つの第一穿孔を有し、その中の当該ヒートシンクは密閉空間を含み、及び、
ランプカップを含み、当該ランプカップは、内に凹む第二カップ状の構造を有し、当該第二カップ状の構造の底部は少なくとも一つの第二穿孔を有し、その中の当該ランプカップはヒートシンクにはまり込むことを特徴とするランプカップの放熱装置としている。
請求項２の考案は、請求項１記載のランプカップの放熱装置において、前記ヒートシンクは、更に複数の放熱フィンを含むことを特徴とするランプカップの放熱装置としている。
請求項３の考案は、請求項２記載のランプカップの放熱装置において、前記複数の放熱フィンは、輻射状で第一カップ状の構造の周囲に配列することを特徴とするランプカップの放熱装置としている。
請求項４の考案は、請求項３記載のランプカップの放熱装置において、前記密閉空間は、複数の放熱フィンで包囲された環状空間であることを特徴とするランプカップの放熱装置としている。
請求項５の考案は、請求項１記載のランプカップの放熱装置において、前記密閉空間は、カップ状な空間であり、当該カップ状な空間は当該第一穿孔を包囲することを特徴とするランプカップの放熱装置としている。
請求項６の考案は、請求項５記載のランプカップの放熱装置において、更に導熱材料を含み、当該導熱材料は、当該密閉空間に注入することを特徴とするランプカップの放熱装置としている。
請求項７の考案は、請求項１記載のランプカップの放熱装置において、更に発光装置を含み、当該発光装置は第二穿孔に設けられることを特徴とするランプカップの放熱装置としている。
請求項８の考案は、請求項７記載のランプカップの放熱装置において、前記発光装置は、少なくとも一つの導線を有し、各導線は第二穿孔か第一穿孔を通過することを特徴とするランプカップの放熱装置としている。
請求項９の考案は、請求項１記載のランプカップの放熱装置において、前記第一カップ状の構造の底部は、凹部区域を含むことを特徴とするランプカップの放熱装置としている。
【考案の効果】
【０００６】
本考案はヒートシンク及びランプカップを含む。ランプカップはヒートシンクにはまり込み、ヒートシンク内には密閉の空間を含み、導熱材料を充填できる。ランプカップに発光装置を設け、照明を提供する。放熱装置は複数の輻射状で配列する放熱フィンを備え、導熱材料を合わせることにより、発光装置の放熱に役に立つ。
【考案を実施するための最良の形態】
【０００７】
図１に示されるように、それは本考案に係わる具体的な実施例によるランプカップの放熱装置の構造であり、ヒートシンク10及びランプカップ30を含む。ヒートシンク10は、内に凹む第一カップ状の構造16を有し、第一カップ状の構造16の底部は少なくとも第一穿孔12を有する。ヒートシンク10は、複数の放熱フィン18を含み、これらの放熱フィン18は輻射状で第一コップ状の構造16の周囲に配列する。また、ランプカップ30は内に向く凹部の第二カップ状の構造36を有し、第二カップ状の構造36の底部は少なくとも第二穿孔32を有し、その中、ランプカップ30はヒートシンク10にはまり込む。 
【０００８】
図２に示されるように、ヒートシンク10は空間20を含み、この空間20は複数の放熱フィンで包囲された環状空間、或るいはカップ状な空間であり、図２から見て分って、カップ状な空間は第一穿孔12を包囲する。本好ましい本実施例は更に導熱材料(図面に示さず)を含むことができ、この導熱材料は、注入口(図面に示さず)を介して空間20に注入できる。導熱材料が空間20に注入された後、注入口を密封し、空間20を密閉空間に形成できる。
【０００９】
図３で示すよう、本具体的な実施例は更に発光装置40を含み、発光装置40は第二穿孔32に設けられる。本発光装置40は少なくとも一つの導線42を有して、毎の導線42は第二穿孔32及び第一穿孔12を通過する。発光装置40は更に関連な回路素子(例えば回路板)を含むことができ、また第一ラカップの構造底部は更にベース14を含むことができる。当該ベースは凹部区域であり、且つ当該ベース14には当該発光装置40に関連する回路素子を設けることに用いられる。
【００１０】
従って、図４で示すよう、ヒートシンク10はランプカップ30とはまり込む時、ランプカップ30に設けられた発光装置40は導線42を介してヒートシンク10の外から電源又は制御信号を取得できる。その発散した熱力はランプカップ20を通し、導熱材料を介してヒートシンクに伝導したため、良好な放熱効果を提供できる。
【図面の簡単な説明】
【００１１】
【図１】本考案に係わるランプカップの放熱装置の構造を示す図である。
【図２】本考案に係わるランプカップの放熱装置の断面を示す図である。
【図３】本考案に係わるランプカップの放熱装置の断面を示す図である。
【図４】本考案に係わるランプカップの放熱装置の製品を示す図である。
【符号の説明】
【００１２】
10  ヒートシンク
12  第一穿孔
14  ベース
16  第一カップ状の構造
18  放熱フィン
20  空間
30  ランプカップ
32  第二穿孔
36  第二カップ状の構造
40  発光装置
42  導線
【図１】
0003121695.tif 000003
【図２】
0003121695.tif 000004
【図３】
0003121695.tif 000005
【図４】
0003121695.tif 000006